(57)【要約】【課題】複数の利用者でカラオケ店舗を利用する際であっても、それぞれの利用者が駐車料金の割引を簡易に受けることが可能な駐車料金算出システムを提供する。【解決手段】携帯端末は、精算装置に対し端末識別情報を送信する情報送信部、カラオケシステムへのログイン時刻、ログアウト時刻、及び店舗識別情報を含む利用者情報を生成する生成部を有し、精算装置は、端末識別情報を受信した際、当該端末識別情報が記憶されていない場合には、端末識別情報と入庫時刻とを関連付けて記憶させ、当該端末識別情報が記憶されている場合には、当該携帯端末情報が関連付けられている入庫時刻を読み出す情報処理部、端末識別情報と併せて利用者情報を受信した場合、当該利用者情報に含まれる店舗識別情報と一致する割引店舗識別情報が記憶されているかどうかを判定する判定部、一致する割引店舗識別情報が記憶されている場合、利用者情報に含まれるログイン時刻及びログアウト時刻に基づいて割引をした駐車料金を算出する算出部を有する駐車料金算出システム。【選択図】図４
2020052900.tif 000002
【特許請求の範囲】
【請求項１】
利用者が所有する携帯端末と、駐車場に設置された精算装置を含む駐車料金算出システムであって、
前記携帯端末は、
前記精算装置に対し、少なくとも前記携帯端末を識別するための端末識別情報を含む各種情報を送信する情報送信部と、
カラオケ装置を含むカラオケシステムへのログイン時刻、ログアウト時刻、及び当該カラオケ装置が設置されているカラオケ店舗を識別するための店舗識別情報を含む利用者情報を生成する生成部と、
を有し、
前記精算装置は、
駐車料金の割引を行う対象となるカラオケ店舗を識別するための割引店舗識別情報を記憶する識別情報記憶部と、
前記携帯端末を所有する利用者が駐車場に車を入庫した入庫時刻を当該携帯端末の端末識別情報と関連付けて記憶する入庫時刻記憶部と、
前記携帯端末から前記端末識別情報を受信した際、当該端末識別情報が前記入庫時刻記憶部に記憶されていない場合には、当該端末識別情報と前記入庫時刻とを関連付けて前記入庫時刻記憶部に記憶させ、当該端末識別情報が前記入庫時刻記憶部に記憶されている場合には、当該携帯端末情報が関連付けられている前記入庫時刻を読み出す情報処理部と、
前記携帯端末から前記端末識別情報と併せて前記利用者情報を受信した場合、前記識別情報記憶部に、当該利用者情報に含まれる前記店舗識別情報と一致する前記割引店舗識別情報が記憶されているかどうかを判定する判定部と、
読み出した前記入庫時刻及び現在時刻に基づいて駐車料金を算出する算出部であって、一致する前記割引店舗識別情報が記憶されていると判定された場合には、前記利用者情報に含まれるログイン時刻及びログアウト時刻に基づいて割引をした駐車料金を算出する算出部と、
を有する駐車料金算出システム。
【請求項２】
前記精算装置は、提示部を介し、算出された前記駐車料金を利用者に対して提示する提示制御部を有することを特徴とする請求項１記載の駐車料金算出システム。
【請求項３】
駐車場に設置された精算装置であって、
駐車料金の割引を行う対象となるカラオケ店舗を識別するための割引店舗識別情報を記憶する識別情報記憶部と、
携帯端末を所有する利用者が駐車場に車を入庫した入庫時刻を当該携帯端末の端末識別情報と関連付けて記憶する入庫時刻記憶部と、
前記携帯端末から当該携帯端末を識別するための端末識別情報を受信した際、当該端末識別情報が前記入庫時刻記憶部に記憶されていない場合には、当該端末識別情報と前記入庫時刻とを関連付けて前記入庫時刻記憶部に記憶させ、当該端末識別情報が前記入庫時刻記憶部に記憶されている場合には、当該携帯端末情報が関連付けられている前記入庫時刻を読み出す情報処理部と、
前記携帯端末から前記端末識別情報と併せて、カラオケ装置を含むカラオケシステムへのログイン時刻、ログアウト時刻、及び当該カラオケ装置が設置されているカラオケ店舗を識別するための店舗識別情報を含む利用者情報を受信した場合、前記識別情報記憶部に、当該利用者情報に含まれる前記店舗識別情報と一致する前記割引店舗識別情報が記憶されているかどうかを判定する判定部と、
読み出した前記入庫時刻及び現在時刻に基づいて駐車料金を算出する算出部であって、一致する前記割引店舗識別情報が記憶されていると判定された場合には、前記利用者情報に含まれるログイン時刻及びログアウト時刻に基づいて割引をした駐車料金を算出する算出部と、
を有する精算装置。
【発明の詳細な説明】
【技術分野】
【０００１】
本発明は駐車料金算出システム、及び精算装置に関する。
【０００２】
複数人でカラオケ歌唱を行う際、各利用者が自家用車でカラオケ店舗を訪れることがある。
【０００３】
この際、郊外にあるカラオケ店舗は、利用者のための専用駐車場を敷地内に備えているところが大半である。一方、駅前や繁華街に立地するカラオケ店舗は、敷地内に専用の駐車場を設けることが困難である。
【０００４】
そこで、このようなカラオケ店舗は、近隣の有料駐車場と提携し、利用者に対してカラオケ店舗の利用時間分の駐車料金を無料とする割引サービスを提供している。
【０００５】
利用者は、たとえば、入庫時に発券された駐車券をカラオケ店舗に提示し、利用時間分の無料駐車券を受け取ることにより割引サービスを受けることができる。この場合、利用者が駐車券を提示し忘れた場合には、割引サービスを受けることができない。
【０００６】
そこで、特許文献１には、駐車場への入庫時刻と利用者の電子マネーＩＤとを関連付けることにより、電子マネーで支払われた代金に基づいて無料駐車時間を抽出し、抽出された無料駐車時間を割り引いた駐車料金を、電子マネーから引き落とす技術が開示されている。
【先行技術文献】
【特許文献】
【０００７】
【特許文献１】特開２０１０−２８６９２８号公報
【発明の概要】
【発明が解決しようとする課題】
【０００８】
しかし、特許文献１の技術は、カラオケ店舗のように複数の利用者でカラオケ歌唱を行った場合であっても、利用代金の支払いをした利用者しか割引サービスを受けることができない。
【０００９】
たとえば、５名の利用者がそれぞれの自家用車でカラオケ店舗を訪れた場合であっても、特許文献１の技術によれば、割引サービスを受けられるのはカラオケ店舗の利用代金を支払った１名だけであり、他の利用者は従来同様、駐車券を提示する必要があり煩雑である。
【００１０】
本発明の目的は、複数の利用者でカラオケ店舗を利用する際であっても、それぞれの利用者が駐車料金の割引を簡易に受けることが可能な駐車料金算出システム及び精算装置を提供することにある。
【課題を解決するための手段】
【００１１】
上記目的を達成するための主たる発明は、利用者が所有する携帯端末と、駐車場に設置された精算装置を含む駐車料金算出システムであって、前記携帯端末は、前記精算装置に対し、少なくとも前記携帯端末を識別するための端末識別情報を含む各種情報を送信する情報送信部と、カラオケ装置を含むカラオケシステムへのログイン時刻、ログアウト時刻、及び当該カラオケ装置が設置されているカラオケ店舗を識別するための店舗識別情報を含む利用者情報を生成する生成部と、を有し、前記精算装置は、駐車料金の割引を行う対象となるカラオケ店舗を識別するための割引店舗識別情報を記憶する識別情報記憶部と、前記携帯端末を所有する利用者が駐車場に車を入庫した入庫時刻を当該携帯端末の端末識別情報と関連付けて記憶する入庫時刻記憶部と、前記携帯端末から前記端末識別情報を受信した際、当該端末識別情報が前記入庫時刻記憶部に記憶されていない場合には、当該端末識別情報と前記入庫時刻とを関連付けて前記入庫時刻記憶部に記憶させ、当該端末識別情報が前記入庫時刻記憶部に記憶されている場合には、当該携帯端末情報が関連付けられている前記入庫時刻を読み出す情報処理部と、前記携帯端末から前記端末識別情報と併せて前記利用者情報を受信した場合、前記識別情報記憶部に、当該利用者情報に含まれる前記店舗識別情報と一致する前記割引店舗識別情報が記憶されているかどうかを判定する判定部と、読み出した前記入庫時刻及び現在時刻に基づいて駐車料金を算出する算出部であって、一致する前記割引店舗識別情報が記憶されていると判定された場合には、前記利用者情報に含まれるログイン時刻及びログアウト時刻に基づいて割引をした駐車料金を算出する算出部と、を有する駐車料金算出システムである。
本発明の他の特徴については、後述する明細書及び図面の記載により明らかにする。
【発明の効果】
【００１２】
本発明によれば、複数の利用者でカラオケ店舗を利用する際であっても、それぞれの利用者が駐車料金の割引を簡易に受けることができる。
【図面の簡単な説明】
【００１３】
【図１】実施形態に係る駐車料金算出システムを示した図である。
【図２】実施形態に係る携帯端末の構成を示す図である。
【図３】実施形態に係る精算装置の構成を示す図である。
【図４】実施形態に係る駐車料金算出システムの処理を示すフローチャートである。
【発明を実施するための形態】
【００１４】
図１〜図４を参照して、第１実施形態に係る駐車料金算出システムについて説明する。
【００１５】
＝＝駐車料金算出システム＝＝
駐車料金算出システム１は、携帯端末Ｍと、精算装置Ｃを含む。
【００１６】
携帯端末Ｍは、利用者Ｕが所有するスマートフォン等である。携帯端末Ｍには、駐車料金算出システムを利用するための専用アプリケーションソフトウェア（以下、「専用アプリ」）がインストールされている。専用アプリは、サーバ装置Ｓ（後述）や、サーバ装置Ｓが提供するＷｅｂサイトからダウンロードすることで入手できる。
【００１７】
携帯端末Ｍはカラオケ装置Ｋと通信可能に接続される。カラオケ装置Ｋは、利用者が選曲した楽曲のカラオケ演奏、及び利用者がカラオケ歌唱を行うための装置である。カラオケ装置Ｋは、カラオケ店舗Ｘに設置されている。サーバ装置Ｓは、カラオケ装置Ｋに関する各種情報の管理、カラオケ装置Ｋから送信される情報の処理を行うコンピュータである。カラオケ装置Ｋとサーバ装置Ｓは、カラオケシステムＫＳを構成する。
【００１８】
携帯端末Ｍとカラオケ装置Ｋは、ペアリングされることで互いに通信可能となる。ペアリングは公知の手法を利用することができる。ペアリングは、たとえば、カラオケ装置Ｋが設置されたカラオケルームへ利用者が入室した後、携帯端末Ｍで専用アプリを起動させた場合に実行される。ペアリングされた後、利用者は、専用アプリを利用して、カラオケシステムＫＳへのログイン操作やログアウト操作を行うことができる（詳細は後述）。
【００１９】
精算装置Ｃは、駐車場Ｐに設置される。精算装置Ｃは、入庫時刻と現在時刻に基づいて、駐車場の利用代金（駐車料金）を算出する。この例において、カラオケ店舗Ｘと駐車場Ｐは提携している。従って、カラオケ店舗Ｘの利用者は、駐車場Ｐの駐車料金の割引を受けることができる（詳細は後述）。精算装置Ｃと携帯端末Ｍとは、一般的な近距離無線通信技術により通信可能となっている。
【００２０】
なお、専用アプリは、主にカラオケ店舗の利用者による利用を想定している。一方、利用者が、カラオケ店舗を利用する目的で当該カラオケ店舗と提携している駐車場に入庫した後に、カラオケルームが満室であったり、急に所用ができたなどの諸事情によりカラオケ店舗を利用せずに出庫することもありうる。従って、専用アプリは、最初からカラオケ店舗の利用を目的としない利用者（以下、「一般客」）であっても、通常の入庫や出庫の際に利用できる。そのため、専用アプリは、サーバ装置Ｓが提供するＷｅｂサイトだけでなく、駐車場の管理者が提供するＷｅｂサイト等からダウンロードすることも可能である。
【００２１】
＝＝携帯端末＝＝
図２に示すように、携帯端末Ｍは、記憶部１０、通信部１１、表示部１２、入力部１３、及び制御部１４を備える。
【００２２】
［記憶部・通信部・表示部・入力部］
記憶部１０は、各種のデータを記憶する大容量の記憶装置である。記憶部１０は、たとえば、携帯端末を識別するため端末識別情報（端末ＩＤ）を記憶している。端末識別情報は、各携帯端末固有の情報である。通信部１１は、ペアリングされたカラオケ装置Ｋとの接続や、精算装置Ｃへの各種情報の送信等を行うためのインターフェースを提供する。表示部１２は、各種情報を表示させるディスプレイである。入力部１３は、利用者が各種指示入力を行うための構成である。入力部１３は、たとえば、利用者が各情報を入力するための操作ボタンである。表示部１２をタッチパネル形式で構成し、入力部１３として用いてもよい。
【００２３】
［制御部］
制御部１４は、携帯端末Ｍにおける各種の制御を行う。制御部１４は、ＣＰＵおよびメモリ（いずれも図示無し）を備える。ＣＰＵは、メモリに記憶されたプログラムを実行することにより各種の機能を実現する。
【００２４】
携帯端末Ｍで専用アプリを起動することにより、制御部１４は、情報送信部１４ａ及び生成部１４ｂとして機能する（図２参照）。
【００２５】
（情報送信部）
情報送信部１４ａは、精算装置Ｃに対し、少なくとも携帯端末を識別するための端末識別情報を含む各種情報を送信する。
【００２６】
利用者Ｕは、駐車場Ｐへの入庫時、専用アプリを起動させた携帯端末Ｍを精算装置Ｃにかざす。情報送信部１４ａは、携帯端末Ｍの端末ＩＤを記憶部１０から読み出し、精算装置Ｃに送信する。
【００２７】
一方、利用者Ｕは、出庫時、再び、専用アプリを起動させた携帯端末Ｍを精算装置Ｃにかざす。この場合、情報送信部１４ａは、携帯端末Ｍの端末ＩＤと併せて、携帯端末Ｍに記憶された利用者情報（後述）を精算装置Ｃに送信する。なお、携帯端末Ｍに利用者情報が記憶されていない場合、情報送信部１４ａは、端末ＩＤのみを精算装置Ｃに送信する。
【００２８】
（生成部）
生成部１４ｂは、カラオケ装置Ｋを含むカラオケシステムＫＳへのログイン時刻、ログアウト時刻、及びカラオケ装置Ｋが設置されているカラオケ店舗を識別するための店舗識別情報を含む利用者情報を生成する。
【００２９】
利用者Ｕは、カラオケシステムＫＳの利用にあたって、最初にログイン操作（自己の利用者ＩＤやパスワードの入力）を行なう。カラオケシステムＫＳにログインすることにより、歌唱履歴の記録等、各種サービスを受けることが可能となる。
【００３０】
具体的に、利用者は、専用アプリを起動した携帯端末Ｍを介して、利用者ＩＤ及びパスワードを入力する。携帯端末Ｍは、入力された利用者ＩＤ及びパスワードをサーバ装置Ｓに送信する。サーバ装置Ｓは、受信した利用者ＩＤ及びパスワードに基づいて当該利用者ＩＤに対応する利用者がカラオケシステムＫＳにログインする処理を行う。ログイン処理が完了した後、サーバ装置Ｓは、カラオケ装置Ｋを介して携帯端末Ｍに対し、ログイン処理が完了した時刻、及びカラオケ装置Ｋが設置されているカラオケ店舗を識別するための店舗識別情報（店舗ＩＤ）を送信する。携帯端末Ｍは、受信したそれらの情報を記憶部１０に一時的に記憶する。ログイン処理が完了した時刻は、「ログイン時刻」の一例である。なお、携帯端末Ｍでログイン操作を行った時刻を「ログイン時刻」としてもよい。
【００３１】
一方、利用者Ｕは、カラオケシステムＫＳの利用を終了する際、ログアウト操作を行なう。具体的に、利用者Ｕは、専用アプリを起動した携帯端末Ｍを介して、ログアウトの指示を行う。携帯端末Ｍは、ログアウトの指示に基づいて、利用者ＩＤをサーバ装置Ｓに送信する。サーバ装置Ｓは、受信した利用者ＩＤに基づいて当該利用者ＩＤに対応する利用者がカラオケシステムＫＳからログアウトする処理を行う。ログアウト処理が完了した後、サーバ装置Ｓは、カラオケ装置Ｋを介して携帯端末Ｍに対し、ログアウト処理が完了した時刻を送信する。携帯端末Ｍは、受信したログアウト処理が完了した時刻を、ログイン時に記憶した情報と併せ、利用者情報として記憶部１０に一時的に記憶する。ログアウト処理が完了した時刻は、「ログアウト時刻」の一例である。なお、携帯端末Ｍでログアウト操作を行った時刻を「ログアウト時刻」としてもよい。
【００３２】
なお、利用者がログイン操作やログアウト操作を行わなかった場合、生成部１４ｂは、利用者情報を生成できない。すなわち、記憶部１０に利用者情報が記憶されることは無い。
【００３３】
＝＝精算装置＝＝
図３に示すように、精算装置Ｃは、記憶部２０、通信部２１、提示部２２、入力部２３、及び制御部２４を備える。
【００３４】
［記憶部］
記憶部２０は、各種のデータを記憶する大容量の記憶装置である。本実施形態に係る記憶部２０の記憶領域の一部は、識別情報記憶部２０ａ及び入庫時刻記憶部２０ｂとして機能する。
【００３５】
（識別情報記憶部）
識別情報記憶部２０ａは、駐車料金の割引を行う対象となるカラオケ店舗を識別するための割引店舗識別情報を記憶する。
【００３６】
カラオケ店舗の担当者は、提携先の駐車場の管理者に対して、予め店舗の識別情報（店舗ＩＤ）を知らせる。管理者は、入力部２３を介し、当該店舗ＩＤを駐車料金の割引を行う対象となるカラオケ店舗の店舗ＩＤとして登録する。識別情報記憶部２０ａは、登録された店舗ＩＤを割引店舗識別情報として記憶する。
【００３７】
（入庫時刻記憶部）
入庫時刻記憶部２０ｂは、携帯端末を所有する利用者が駐車場に車を入庫した入庫時刻を当該携帯端末の端末識別情報と関連付けて記憶する。
【００３８】
具体的に、入庫時刻は、利用者が専用アプリを起動させた携帯端末を精算装置Ｃにかざした時刻（すなわち、精算装置Ｃが携帯端末から端末ＩＤを受信した時刻）である。
【００３９】
［通信部、提示部、入力部］
通信部２１は、携帯端末との通信を行うためのインターフェースを提供する。提示部２２は、各種情報を表示させるディスプレイや各種情報を放音させるスピーカである。入力部２３は、利用者が各種指示入力を行うための構成である。入力部２３は、たとえば、利用者が各情報を入力するための操作ボタンである。提示部２２をタッチパネル形式で構成し、入力部２３として用いてもよい。
【００４０】
［制御部］
制御部２４は、精算装置Ｃにおける各種の制御を行う。制御部２４は、ＣＰＵおよびメモリ（いずれも図示無し）を備える。ＣＰＵは、メモリに記憶されたプログラムを実行することにより各種の機能を実現する。
【００４１】
図３に示すように、制御部２４は、情報処理部２４ａ、判定部２４ｂ、算出部２４ｃ、及び提示制御部２４ｄとして機能する。
【００４２】
（情報処理部）
情報処理部２４ａは、携帯端末から端末識別情報を受信した際、当該端末識別情報が入庫時刻記憶部２０ｂに記憶されていない場合には、当該端末識別情報と入庫時刻とを関連付けて入庫時刻記憶部２０ｂに記憶させる。一方、情報処理部２４ａは、当該端末識別情報が入庫時刻記憶部２０ｂに記憶されている場合には、当該携帯端末情報が関連付けられている入庫時刻を読み出す。
【００４３】
具体的に、情報処理部２４ａは、携帯端末Ｍから端末ＩＤを受信した際に、当該端末ＩＤと同じＩＤが、入庫時刻記憶部２０ｂに記憶されているかどうかを確認する。
【００４４】
たとえば、自家用車を駐車場Ｐに停めた利用者Ｕは、カラオケ店舗Ｘに移動する前に、専用アプリを起動させた携帯端末Ｍを精算装置Ｃにかざす。この場合、携帯端末Ｍの情報送信部１４ａは、携帯端末Ｍの端末ＩＤを記憶部１０から読み出し、精算装置Ｃに送信する。情報処理部２４ａは、受信した携帯端末Ｍの端末ＩＤが、入庫時刻記憶部２０ｂに記憶されているかどうかを確認する。
【００４５】
利用者Ｕが自家用車を駐車場Ｐに停めた時点において、入庫時刻記憶部２０ｂには、利用者Ｕが所有する携帯端末Ｍの端末ＩＤは未だ記憶されていない。この場合、情報処理部２４ａは、端末ＩＤに入庫時刻を関連付けて入庫時刻記憶部２０ｂに記憶させる。
【００４６】
一方、カラオケ歌唱を終了し、カラオケ店舗Ｘから駐車場Ｐに戻ってきた利用者Ｕは、専用アプリを起動させた携帯端末Ｍを精算装置Ｃにかざす。この場合、情報送信部１４ａは、少なくとも携帯端末Ｍの端末ＩＤを精算装置Ｃに送信する（利用者情報が併せて送信された場合についての処理は後述）。情報処理部２４ａは、受信した携帯端末Ｍの端末ＩＤが、入庫時刻記憶部２０ｂに記憶されているかどうかを確認する。
【００４７】
上述の通り、自家用車を駐車場Ｐに停めた際に利用者Ｕは専用アプリを起動させた携帯端末Ｍを精算装置Ｃにかざしている。よって、入庫時刻記憶部２０ｂには、利用者Ｕが所有する携帯端末Ｍの端末ＩＤが記憶されている。この場合、情報処理部２４ａは、入庫時刻記憶部２０ｂから、当該端末ＩＤが関連付けられている入庫時刻を読み出す。
【００４８】
（判定部）
判定部２４ｂは、携帯端末から端末識別情報と併せて利用者情報を受信した場合、識別情報記憶部２０ａに、当該利用者情報に含まれる店舗識別情報と一致する割引店舗識別情報が記憶されているかどうかを判定する。
【００４９】
仮に、入庫時刻記憶部２０ｂにある携帯端末の端末ＩＤと入庫時刻が記憶されていたとしても、携帯端末を所有する利用者が利用したカラオケ店舗が駐車場と提携していない場合、当該利用者は駐車料金の割引を受けることはできない。また、カラオケシステムＫＳにログインしなかった利用者や、そもそもカラオケ店舗を利用していない一般客も、駐車料金の割引を受けることはできない。ここで、これらの利用者が所有する携帯端末を精算装置Ｃにかざしたとしても、利用者情報を送信することはない。
【００５０】
そこで判定部２４ｂは、最初に、携帯端末から端末識別情報と併せて利用者情報を受信したかどうかを判定する。利用者情報を受信していない場合、判定部２４ｂは、その旨を算出部２４ｃに出力する。
【００５１】
携帯端末から端末識別情報と併せて利用者情報を受信した場合、判定部２４ｂは、利用者情報に含まれる店舗識別情報に基づいて、駐車料金の割引を受けることができる利用者であるかどうかを判定する。判定は、受信した利用者情報に含まれる店舗識別情報（店舗ＩＤ）と同じ情報（店舗ＩＤ）が、識別情報記憶部２０ａに記憶されているかどうかにより行う。判定部２４ｂは、判定結果を算出部２４ｃに出力する。
【００５２】
（算出部）
算出部２４ｃは、読み出した入庫時刻及び現在時刻に基づいて駐車料金を算出する。また、本実施形態に係る算出部２４ｃは、一致する割引店舗識別情報が記憶されていると判定された場合には、利用者情報に含まれるログイン時刻及びログアウト時刻に基づいて割引をした駐車料金を算出する。
【００５３】
算出部２４ｃは、読み出した入庫時刻及び現在時刻に基づいて駐車料金を算出する。現在時刻は、出庫時に利用者が専用アプリを起動させた携帯端末を精算装置Ｃにかざした時刻（すなわち、精算装置Ｃが携帯端末から端末ＩＤを受信した時刻）である。駐車料金は、予め所定の金額が設定されている。駐車料金は、駐車場の管理者等によって任意の金額を設定できる。駐車料金は、たとえば、均一料金（例：「２００円／時間」）であってもよいし、時間帯に応じて異なる料金（例：２４：００から９：００までは「２００円／時間」、９：００から２４：００までは「４００円／時間」）であってもよい。或いは、駐車料金は、経過時間によって異なる料金（「１時間まで２００円」それ以降は「４００円／時間」）であってもよい。
【００５４】
上述の通り、駐車場Ｐと提携していないカラオケ店舗を利用した利用者やカラオケシステムＫＳにログインしなかった利用者、或いはカラオケ店舗を利用しない一般客は、駐車料金の割引を受けることができない。
【００５５】
このような者がたとえば、１０：００（入庫時刻）〜１４：００（現在時刻）まで駐車料金「２００円／時間」の駐車場Ｐを利用した場合、算出部２４ｃは、８００円（２００円×４時間）の料金を算出する。
【００５６】
一方、判定部２４ｂにより、一致する割引店舗識別情報が記憶されていると判定された場合、算出部２４ｃは、利用者情報に含まれるログイン時刻及びログアウト時刻に基づいて割引をした駐車料金を算出する。
【００５７】
たとえば、駐車場Ｐの駐車料金が「２００円／時間」であるとする。利用者Ｕは、カラオケ店舗Ｘを利用するにあたり、１０：００に自家用車を駐車場Ｐに駐車し、携帯端末Ｍを介して端末ＩＤを駐車場Ｐの精算装置Ｃに送信したとする。この場合、精算装置Ｃの入庫時刻記憶部２０ｂは、利用者Ｕが所有する携帯端末Ｍの端末ＩＤ及び入庫時刻「１０：００」を記憶する。その後、利用者Ｕは、カラオケ店舗Ｘにおいて、１１：００にカラオケシステムＫＳにログインし、１３：００にログアウトしたとする。
【００５８】
その後、カラオケ店舗Ｘを退店した利用者Ｕが１４：００に携帯端末Ｍを精算装置Ｃにかざした場合、携帯端末Ｍの情報送信部１４ａは、端末ＩＤと併せて、カラオケ店舗Ｘの店舗ＩＤ、ログイン時刻「１１：００」、及びログアウト時刻「１３：００」を含む利用者情報を精算装置Ｃに対して送信する。この場合、上述の通り、情報処理部２４ａは、携帯端末Ｍの端末ＩＤが関連付けられている入庫時刻「１０：００」を読み出す。
【００５９】
ここで、判定部２４ｂは、識別情報記憶部２０ａに、利用者情報に含まれるカラオケ店舗Ｘの店舗ＩＤと一致する割引店舗識別情報が記憶されていると判定したとする。
【００６０】
この場合、算出部２４ｃは、利用者Ｕが駐車場Ｐを利用した時間（入庫時刻「１０：００」〜現在時刻「１４：００」）のうち、「１１：００〜１３：００」を、カラオケ店舗Ｘを利用した時間として判断し、その時刻に応じて駐車料金の割引を行う。割引は、予め設定した条件により行われる。たとえば、算出部２４ｃは、駐車場Ｐの利用時間「１０：００〜１４：００」のうち、カラオケ店舗Ｘを利用した時間「１１：００〜１３：００」を除いた時間分（２時間分）の料金（２００円×２時間＝４００円）を割引した駐車料金として算出する。
【００６１】
（提示制御部）
提示制御部２４ｄは、提示部２２を介し、算出された駐車料金を利用者に対して提示する。駐車料金の提示は、様々な方法で行うことができる。たとえば、提示部２４ｄは、精算装置Ｃのディスプレイに算出された駐車料金を表示する。或いは、提示部２４ｄは、精算装置Ｃのスピーカから算出された駐車料金の金額を放音する。
【００６２】
＝＝駐車料金算出システムにおける処理について＝＝
次に、図４を参照して本実施形態に係る駐車料金算出システム１における処理の具体例について述べる。図４は、駐車料金算出システム１における処理を示すフローチャートである。
【００６３】
利用者Ｕは、駐車場への入庫時、専用アプリを起動した携帯端末Ｍを精算装置Ｃにかざす。
【００６４】
携帯端末Ｍの情報送信部１４ａは、精算装置Ｃに対し、携帯端末Ｍの端末ＩＤを送信する（端末ＩＤの送信。ステップ１０）。
【００６５】
情報処理部２４ａは、携帯端末Ｍから端末ＩＤを受信した際、端末ＩＤと入庫時刻とを関連付けて入庫時刻記憶部２０ｂに記憶させる（端末ＩＤと入庫時刻を記憶。ステップ１１）。
【００６６】
その後、利用者Ｕは、カラオケ店舗に移動し、カラオケ装置Ｋを介してカラオケシステムＫＳへのログイン操作を行う。携帯端末Ｍは、利用者Ｕの操作に基づいて、カラオケシステムＫＳへのログインを行う（カラオケシステムへのログイン。ステップ１２）。生成部１４ｂは、カラオケ装置Ｋからログイン時刻及びカラオケ店舗の店舗ＩＤを取得し、記憶部１０に記憶させる（ログイン時刻及び店舗ＩＤを記憶。ステップ１３）。
【００６７】
利用者Ｕは、カラオケシステムＫＳの利用を終了する際、ログアウト操作を行なう。利用者Ｕの操作に基づいて、カラオケシステムＫＳからログアウトする（カラオケシステムからログアウト。ステップ１４）。生成部１４ｂは、カラオケ装置Ｋからログアウト時刻を取得し、ステップ１３で記憶した情報と併せて利用者情報として記憶部１０に記憶する（ログアウト時刻を記憶。ステップ１５）。
【００６８】
利用者Ｕは、駐車場からの出庫時、再度、専用アプリを起動した携帯端末Ｍを精算装置Ｃにかざす。情報送信部１４ａは、端末ＩＤ及びステップ１３及びステップ１５で記憶した各種情報を含む利用者情報を精算装置Ｃに送信する（端末ＩＤ及び利用者情報の送信。ステップ１６）。
【００６９】
情報処理部２４ａは、携帯端末Ｍから受信した端末ＩＤが関連付けられている入庫時刻を入庫時刻記憶部２０ｂから読み出す（入庫時刻の読み出し。ステップ１７）。
【００７０】
算出部２４ｃは、ステップ１７で読み出した入庫時刻及び現在時刻に基づいて駐車料金を算出する（駐車料金の算出。ステップ１８）。
【００７１】
判定部２４ｂは、識別情報記憶部２０ａに、ステップ１６で送信された利用者情報に含まれる店舗ＩＤと一致する店舗ＩＤ（割引店舗識別情報）が記憶されているかどうかを判定する。
【００７２】
一致する店舗ＩＤが記憶されていると判定された場合（ステップ１９でＹの場合）、算出部２４ｃは、ステップ１８で算出した駐車料金を、利用者情報に含まれるログイン時刻及びログアウト時刻に基づいて割引することで、駐車料金を算出する（割引をした駐車料金を算出。ステップ２０）。
【００７３】
提示制御部２４ｄは、提示部２２を介し、ステップ１８またはステップ２０で算出した駐車料金を利用者に提示する（駐車料金の提示。ステップ２１）。
【００７４】
なお、上記フローチャートでは、ステップ１６において利用者情報が送信される例について述べた。一方、上述の通り、カラオケ店舗を利用しない一般客が駐車場を利用した場合等には、利用者情報が送信されない。このような場合、判定部２４ｂは、携帯端末から端末識別情報と併せて利用者情報を受信したかどうかを判定する。利用者情報を受信していない場合、判定部２４ｂは、その旨を算出部２４ｃに出力する。算出部２４ｃは、入庫時刻及び現在時刻に基づいて、正規の駐車料金（割引をしない駐車料金）を算出する。
【００７５】
また、本実施形態では、利用者ＵがカラオケシステムＫＳにログインを行なった際に、生成部１４ｂが、カラオケ装置Ｋからログイン時刻及びカラオケ店舗の店舗ＩＤを取得し、記憶部１０に記憶させたが、これに限られない。たとえば、利用者ＵがカラオケシステムＫＳからログアウトを行った際に、生成部１４ｂが、カラオケ装置Ｋからログイン時刻、カラオケ店舗の店舗ＩＤ、及びログアウト時刻をまとめて取得し、利用者情報として記憶部１０に記憶してもよい。また、生成部１４ｂは、ログイン時刻とログアウト時刻としてログイン時刻及びログアウト時刻に基づいたカラオケ店舗の利用時間を取得し、店舗ＩＤを含めた利用者情報を生成してもよい。更に、生成部１４ｂがカラオケ装置Ｋから取得するのはカラオケ店舗の店舗ＩＤのみとすることも可能である。この場合、生成部１４ｂは、ログイン操作及びログアウト操作が行われたタイミングで携帯端末Ｍの時計機能を参照し、ログイン時刻及びログアウト時刻を特定し、取得した店舗ＩＤを含めた利用者情報として記憶部１０に記憶させる。
【００７６】
以上から明らかなように、本実施形態に係る駐車料金算出システム１は、利用者が所有する携帯端末Ｍと、駐車場Ｐに設置された精算装置Ｃを含む。携帯端末Ｍは、精算装置Ｃに対し、少なくとも携帯端末Ｍを識別するための端末識別情報を含む各種情報を送信する情報送信部１４ａと、カラオケ装置Ｋを含むカラオケシステムＫＳへのログイン時刻、ログアウト時刻、及びカラオケ装置Ｋが設置されているカラオケ店舗Ｘを識別するための店舗識別情報を含む利用者情報を生成する生成部１４ｂと、を有する。精算装置Ｃは、駐車料金の割引を行う対象となるカラオケ店舗を識別するための割引店舗識別情報を記憶する識別情報記憶部２０ａと、携帯端末Ｍを所有する利用者が駐車場Ｐに車を入庫した入庫時刻を携帯端末Ｍの端末識別情報と関連付けて記憶する入庫時刻記憶部２０ｂと、携帯端末Ｍから端末識別情報を受信した際、当該端末識別情報が入庫時刻記憶部２０ｂに記憶されていない場合には、当該端末識別情報と入庫時刻とを関連付けて入庫時刻記憶部２０ｂに記憶させ、当該端末識別情報が入庫時刻記憶部２０ａに記憶されている場合には、当該携帯端末情報が関連付けられている入庫時刻を読み出す情報処理部２４ａと、携帯端末Ｍから端末識別情報と併せて利用者情報を受信した場合、識別情報記憶部２０ａに、当該利用者情報に含まれる店舗識別情報と一致する割引店舗識別情報が記憶されているかどうかを判定する判定部２４ｂと、読み出した入庫時刻及び現在時刻に基づいて駐車料金を算出する算出部２４ｃであって、一致する割引店舗識別情報が記憶されていると判定された場合には、利用者情報に含まれるログイン時刻及びログアウト時刻に基づいて割引をした駐車料金を算出する算出部２４ｃと、を有する。
【００７７】
このような駐車料金算出システム１によれば、利用者毎に入庫時刻及び現在時刻に基づいて駐車料金を算出することができる。その際、ログイン時刻及びログアウト時刻を参照することにより、利用者毎に駐車料金の割引を行うことができる。従って、カラオケ店舗のように複数の利用者でカラオケ歌唱を行った場合であっても、利用者全員が割引サービスを受けることが可能となる。また、割引サービスを希望する利用者は、入庫時及び出庫時に、自己の所有する携帯端末Ｍを精算装置Ｃにかざし、且つカラオケシステムＫＳへのログイン操作及びログアウト操作を行うだけでよい。従って、カラオケ店舗に、駐車券を提示して無料駐車券を受け取るといった煩雑な作業を行わなくともよい。なお、カラオケシステムＫＳへのログイン操作及びログアウト操作は、カラオケ装置Ｋを利用する際に通常行う作業であり、割引サービス利用のため特別に行うものではない。すなわち、本実施形態に係る駐車料金算出システム１によれば、複数の利用者でカラオケ店舗を利用する際であっても、それぞれの利用者が駐車料金の割引を簡易に受けることができる。
【００７８】
また、本実施形態に係る精算装置Ｃは、提示部２２を介し、算出された駐車料金を利用者に対して提示する提示制御部２４ｄを有する。このように算出した駐車料金を提示することにより、利用者は支払うべき具体的な金額を容易に把握できる。
【００７９】
更に、本実施形態に係る精算装置Ｃは、駐車場に設置される。精算装置Ｃは、駐車料金の割引を行う対象となるカラオケ店舗を識別するための割引店舗識別情報を記憶する識別情報記憶部２０ａと、携帯端末Ｍを所有する利用者が駐車場に車を入庫した入庫時刻を携帯端末Ｍの端末識別情報と関連付けて記憶する入庫時刻記憶部２０ｂと、携帯端末Ｍから携帯端末Ｍを識別するための端末識別情報を受信した際、当該端末識別情報が入庫時刻記憶部２０ｂに記憶されていない場合には、当該端末識別情報と入庫時刻とを関連付けて入庫時刻記憶部２０ｂに記憶させ、当該端末識別情報が入庫時刻記憶部２０ｂに記憶されている場合には、当該携帯端末情報が関連付けられている入庫時刻を読み出す情報処理部２４ａと、携帯端末Ｍから端末識別情報と併せて、カラオケ装置Ｋを含むカラオケシステムＫＳへのログイン時刻、ログアウト時刻、及びカラオケ装置Ｋが設置されているカラオケ店舗Ｘを識別するための店舗識別情報を含む利用者情報を受信した場合、識別情報記憶部２０ａに、当該利用者情報に含まれる店舗識別情報と一致する割引店舗識別情報が記憶されているかどうかを判定する判定部２４ｂと、読み出した入庫時刻及び現在時刻に基づいて駐車料金を算出する算出部２４ｃであって、一致する割引店舗識別情報が記憶されていると判定された場合には、利用者情報に含まれるログイン時刻及びログアウト時刻に基づいて割引をした駐車料金を算出する算出部２４ｃと、を有する。このような精算装置Ｃによれば、複数の利用者でカラオケ店舗を利用する際であっても、それぞれの利用者が駐車料金の割引を簡易に受けることができる。
【００８０】
＜その他＞
上記実施形態は、例として提示したものであり、発明の範囲を限定するものではない。上記の構成は、適宜組み合わせて実施することが可能であり、発明の要旨を逸脱しない範囲で、種々の省略、置き換え、変更を行うことができる。上記実施形態やその変形は、発明の範囲や要旨に含まれると同様に、特許請求の範囲に記載された発明とその均等の範囲に含まれる。
【符号の説明】
【００８１】
１  駐車料金算出システム
１４ａ  情報送信部
１４ｂ  生成部
２０ａ  識別情報記憶部
２０ｂ  入庫時刻記憶部
２４ａ  情報処理部
２４ｂ  判定部
２４ｃ  算出部
２４ｄ  提示制御部
Ｃ  精算装置
Ｋ  カラオケ装置
ＫＳ  カラオケシステム
Ｍ  携帯端末
Ｓ  サーバ装置
【図１】
2020052900.tif 000003
【図２】
2020052900.tif 000004
【図３】
2020052900.tif 000005
【図４】
2020052900.tif 000006